(57)【要約】【課題】蓋の開閉時に収容箱の内外を異なる態様で照明可能で、照明位置が制約されず、低コストな照明付収容箱を提供する。【解決手段】照明付収容箱１０は、物品を収容するための収容２０と、収容部２０に対して回動可能に取り付けられて収容部２０の開口部２１を開閉する蓋部３０と、収容部２０に取付固定されて光を放射する光源部４０と、蓋部３０の内部に取付固定された導光体５０と、蓋部３０の上面側に配置された発光部３３と、収容部２０の内部にて収容部２０と蓋部３０との間に形成された間隙Ｇａ〜Ｇｃとを備える。蓋部３０を閉じた状態では、光源部４０の放射光が導光体５０内を導光された後に発光部３３から放射されることにより、蓋部３０の外部が照明される。蓋部３０を開いた状態では、光源部４０の放射光が導光体５０内で反射された後に間隙Ｇａ〜Ｇｃから漏れ出て放射されることにより、収容部２０の内部が間接照明される。【選択図】  図１
2014019412.tif 000002
【特許請求の範囲】
【請求項１】
物品を収容するための収容部と、
前記収容部に対して回動可能に取り付けられ、前記収容部の開口部を開閉する蓋部と、
前記収容部に取付固定され、光を放射する光源部と、
前記蓋部の内部に取付固定された導光体と、
前記蓋部の上面側に配置された発光部と、
前記収容部の内部にて前記収容部と前記蓋部との間に形成された間隙と
を備えた照明付収容箱であって、
前記蓋部を閉じた状態では、前記光源部の放射光が前記導光体の内部を導光された後に前記発光部から放射されることにより、前記蓋部の外部が照明され、
前記蓋部を開いた状態では、前記光源部の放射光が前記導光体の内部で反射された後に前記間隙から漏れ出て放射されることにより、前記収容部の内部が間接照明される照明付収容箱。
【請求項２】
前記導光体は、前記光源部の放射光が入射される第１入射面および第２入射面と、入射された光を出射する第１出射面および第２出射面と、入射された光を反射する第１反射面とを備え、
前記第１入射面と前記第２出射面とは同一面であり、
前記蓋部を閉じた状態では、前記第１入射面が前記光源部と対向し、前記第１入射面から入射された光が前記導光体の内部を導光されて前記第１出射面から出射された後に、前記発光部から放射され、
前記蓋部を開いた状態では、前記第２入射面および前記第１反射面が前記光源部と対向し、前記第２入射面から入射された光が前記第１反射面で反射されて前記第２出射面から出射された後に、前記間隙から漏れ出て放射される、
請求項１に記載の照明付収容箱。
【請求項３】
前記導光体は、入射された光を反射する第２反射面を更に備え、
前記第１反射面は、前記導光体に穿設された略円錐状の凹部の内面から成り、
前記第２反射面は、前記第２出射面から離れるほど前記導光体の厚みが薄くなることにより、前記導光体５０の正面側の表面に形成された略平面状の傾斜面から成り、
前記蓋部を開いた状態では、前記第２入射面と前記第１反射面および前記第２反射面とが前記光源部と対向し、前記第２入射面から入射された光が前記第１反射面で反射されて前記第２出射面から出射されると共に、前記第２入射面から入射された光が前記第２反射面で反射されて前記第２出射面から出射された後に、前記間隙から漏れ出て放射される、
請求項２に記載の照明付収容箱。
【請求項４】
前記導光体は、入射された光を出射する第３出射面を更に備え、
前記第３出射面は前記第２出射面の両側に接続され、
前記蓋部を開いた状態では、前記第２入射面から入射された光が前記第１反射面で反射され、前記第２出射面と前記第３出射面とから出射された後に、前記間隙から漏れ出て放射される、
請求項２または請求項３に記載の照明付収容箱。
【請求項５】
前記導光体における前記第２出射面の近傍の両側部分には、前記第２出射面に向けて両側方向の幅が狭くなるように斜めにカットされた傾斜面が配置形成されており、
前記第３出射面はそれぞれ、前記導光体の前記傾斜面と同一面である、
請求項４に記載の照明付収容箱。
【請求項６】
前記導光体の両側部分に対応する前記間隙の幅は、前記導光体の中央部分に対応する前記間隙の幅よりも大きく、
前記導光体の両側部分に対応する前記間隙を形成する前記収容部の壁部は、前記間隙の開口側に向けて広がる傾斜面状である、
請求項１〜５のいずれか１項に記載の照明付収容箱。
【請求項７】
前記蓋部は、前記収容部に対して軸心を中心に回動自在に軸支された回転軸を備え、
前記回転軸の軸心は、前記光源部の光軸の近傍にて当該光軸と直交すると共に、前記導光体の前記第１入射面および前記第２入射面の近傍に配置されている、
請求項１〜６のいずれか１項に記載の照明付収容箱。
【発明の詳細な説明】
【技術分野】
【０００１】
本発明は照明付収容箱に係り、詳しくは、収容箱の内外を照明可能な照明付収容箱に関するものである。
【背景技術】
【０００２】
従来より、蓋の開閉時に箱の内外を異なる態様で照明する照明付収容箱が知られている。
特許文献１には、収納部と、開閉可能に配置される蓋体と、収納部の壁部に配置されるＬＥＤからなる光源と、蓋体の内部に配置した導光体とを備え、導光体の光入射面と対向する部位に発光部に向けて反射するＶ状溝からなる第１反射面を形成し、少なくとも蓋体が閉じた状態において、光源の光軸を光入射面及び第１反射面と交差するよう配置した車両用コンソールランプが開示されている。
【０００３】
特許文献２には、光源と、表面の一部が光源に対向するように配置されて上面が発光面となる導光体とを備え、導光体が収容箱の蓋部に配置され、光源が収容箱本体側に配置されており、蓋部が閉状態から開状態に移行する際、光源の光放射側が開放されて光源の光が収容箱内を照明する収容箱が開示されている。
【先行技術文献】
【特許文献】
【０００４】
【特許文献１】特開２０１１−１０２０８８号公報
【特許文献２】特許第４４３２９１１公報
【発明の概要】
【発明が解決しようとする課題】
【０００５】
照明付収容箱では、蓋を閉じた状態では蓋の取っ手部分を目視確認しながら手を伸ばして開けやすいように取っ手部分を照明し、蓋を開いた状態では箱内部を広く照明することが要求される。
特許文献１および特許文献２のように、蓋（蓋体、蓋部）に設けた導光体を面発光させる形態では、前記要求を満たすためには導光体を大型化しなければならず、蓋の重量が増加する上に、蓋の取り付けを強固にする必要があることから、製造コストが増大するという問題がある。
【０００６】
特に、自動車用センターコンソールボックスや、自動車用カップホルダボックスなどに使用される照明付収容箱では、蓋を開いているときに、特許文献１のように蓋自体が面発光するとフロントガラスに映り込みが生じる、特許文献２のように光源が箱内部を直接照明するとグレア感が高くなる、などの理由で運転者を幻惑するおそれがあり、これを防ぐとなると照明位置が制約されるという問題がある。
【０００７】
本発明は前記問題を解決するためになされたものであって、その目的は、蓋の開閉時に収容箱の内外を異なる態様で照明可能で、照明位置が制約されず、低コストな照明付収容箱を提供することにある。
【課題を解決するための手段】
【０００８】
本発明者らは前記課題を解決するために鋭意検討を重ねた結果、下記のように本発明の各局面に想到した。
【０００９】
＜第１の局面＞
第１の局面は、
物品を収容するための収容部と、
前記収容部に対して回動可能に取り付けられ、前記収容部の開口部を開閉する蓋部と、
前記収容部に取付固定され、光を放射する光源部と、
前記蓋部の内部に取付固定された導光体と、
前記蓋部の上面側に配置された発光部と、
前記収容部の内部にて前記収容部と前記蓋部との間に形成された間隙と
を備えた照明付収容箱であって、
前記蓋部を閉じた状態では、前記光源部の放射光が前記導光体の内部を導光された後に前記発光部から放射されることにより、前記蓋部の外部が照明され、
前記蓋部を開いた状態では、前記光源部の放射光が前記導光体の内部で反射された後に前記間隙から漏れ出て放射されることにより、前記収容部の内部が間接照明される。
【００１０】
第１の局面によれば、特許文献１および特許文献２のように導光体を面発光させる形態に比べて、導光体を小型化することが可能であるため、導光体が取付固定された蓋部が軽量化される上に、収容部に対する蓋部の取付構造を簡易化可能であることから、製造コストを低減できる。
【００１１】
特に、第１の局面を自動車のセンターコンソールに設置される照明付収容箱（センターコンソールボックス、カップホルダボックスなど）に適用した場合には、特許文献１のように蓋自体を面発光させないため、フロントガラスに映り込みが生じるのを防止可能であり、特許文献２のように光源が箱内部を直接照明せず、収容部の内部が間接照明されるため、グレア感を低減可能であることから、運転者を幻惑するおそれが無く、照明位置が制約されない。
【００１２】
＜第２の局面＞
第２の局面は、第１の局面において、
前記導光体は、前記光源部の放射光が入射される第１入射面および第２入射面と、入射された光を出射する第１出射面および第２出射面と、入射された光を反射する第１反射面とを備え、
前記第１入射面と前記第２出射面とは同一面であり、
前記蓋部を閉じた状態では、前記第１入射面が前記光源部と対向し、前記第１入射面から入射された光が前記導光体の内部を導光されて前記第１出射面から出射された後に、前記発光部から放射され、
前記蓋部を開いた状態では、前記第２入射面および前記第１反射面が前記光源部と対向し、前記第２入射面から入射された光が前記第１反射面で反射されて前記第２出射面から出射された後に、前記間隙から漏れ出て放射される。
【００１３】
第２の局面によれば、第１の局面の前記作用・効果を、導光体が第１入射面と第２入射面と第１出射面と第２出射面と第１反射面とを備えるだけの簡易な構成により、確実に得ることが可能になるため、更なる低コスト化を図ることができる。
【００１４】
＜第３の局面＞
第３の局面は、第２の局面において、
前記導光体は、入射された光を反射する第２反射面を更に備え、
前記第１反射面は、前記導光体に穿設された略円錐状の凹部の内面から成り、
前記第２反射面は、前記第２出射面から離れるほど前記導光体の厚みが薄くなることにより、前記導光体５０の正面側の表面に形成された略平面状の傾斜面から成り、
前記蓋部を開いた状態では、前記第２入射面と前記第１反射面および前記第２反射面とが前記光源部と対向し、前記第２入射面から入射された光が前記第１反射面で反射されて前記第２出射面から出射されると共に、前記第２入射面から入射された光が前記第２反射面で反射されて前記第２出射面から出射された後に、前記間隙から漏れ出て放射される。
【００１５】
第３の局面によれば、第１反射面が導光体に穿設された略円錐状の凹部の内面から成るため、蓋部を開いた状態において、光源部と対向する第１反射面は、光源部の光軸を囲繞する全周方向（３６０゜方向）にて放射状に光を反射可能であり、第１反射面による反射光が第２出射面から広角に出射され易くなることから、間隙から漏れ出て放射される光量を増大させて、収容部の内部を明るく照明できる。
【００１６】
また、第３の局面によれば、第２反射面が第１反射面を囲繞する導光体の表面から成るため、蓋部を開いた状態において、光源部と対向する第２反射面は、第２入射面の方向に光を反射可能であり、第２反射面による反射光は第２出射面から出射されることから、間隙から漏れ出て放射される光量を増大させて、収容部の内部を明るく照明できる。
【００１７】
＜第４の局面＞
第４の局面は、第２の局面または第３の局面において、
前記導光体は、入射された光を出射する第３出射面を更に備え、
前記第３出射面は前記第２出射面の両側に接続され、
前記蓋部を開いた状態では、前記第２入射面から入射された光が前記第１反射面で反射され、前記第２出射面と前記第３出射面とから出射された後に、前記間隙から漏れ出て放射される。
【００１８】
第４の局面によれば、第２出射面から出射された光に加えて、第３出射面から出射された光が間隙から漏れ出るため、間隙から漏れ出て放射される光量を増大させて、収容部の内部を明るく照明できる。
【００１９】
＜第５の局面＞
第５の局面は、第４の局面において、
前記導光体における前記第２出射面の近傍の両側部分には、前記第２出射面に向けて両側方向の幅が狭くなるように斜めにカットされた傾斜面が配置形成されており、
前記第３出射面はそれぞれ、前記導光体の前記傾斜面と同一面である。
【００２０】
第５の局面によれば、第３出射面が導光体における第２出射面の近傍の両側部分の傾斜面と同一面であるため、蓋部を開いた状態では、導光体における第２出射面の両側方向に対応した収容部の内部を広い範囲で間接照明できる。
【００２１】
＜第６の局面＞
第６の局面は、第１〜５の局面において、
前記導光体の両側部分に対応する前記間隙の幅は、前記導光体の中央部分に対応する前記間隙の幅よりも大きく、
前記導光体の両側部分に対応する前記間隙を形成する前記収容部の壁部は、前記間隙の開口側に向けて広がる傾斜面状である。
【００２２】
第６の局面によれば、導光体の両側部分に対応する間隙の幅が、導光体の中央部分に対応する間隙の幅よりも大きいため、導光体の中央部分に対応する間隙から漏れ出る光量に比べて、導光体の両側部分に対応する間隙から漏れ出る光量の方が多くなる。
加えて、導光体の両側部分に対応する間隙を形成する収容部の壁部が、間隙の開口側に向けて広がる傾斜面状であるため、収容部の壁部で反射された反射光は、導光体の両側部分に対応する間隙の開口側に向けて放射され易い。
その結果、導光体の中央部分に対応する間隙から収容部の内部に放射される光量に比べて、導光体の両側部分に対応する間隙から収容部の内部に放射される光量の方が遥かに多くなり、導光体の両側部分に対応する収容部の内部が特に明るく照明される。
【００２３】
＜第７の局面＞
第７の局面は、第１〜６の局面において、
前記蓋部は、前記収容部に対して軸心を中心に回動自在に軸支された回転軸を備え、
前記回転軸の軸心は、前記光源部の光軸の近傍にて当該光軸と直交すると共に、前記導光体の前記第１入射面および前記第２入射面の近傍に配置されている。
【００２４】
第７の局面によれば、第１入射面および第２入射面と光源部との距離を短くすることが可能になり、光源部の放射光をほとんど減衰させずに、第１入射面および第２入射面に入射させることができる。
その結果、前記発光部から放射される光量を増大させて蓋部の外部を明るく照明できると共に、前記間隙から漏れ出て放射される光量を増大させて収容部の内部を明るく照明できる。
【図面の簡単な説明】
【００２５】
【図１】本発明を具体化した一実施形態の照明付収容箱１０の斜視図。図１（Ａ）は照明付収容箱１０の蓋部３０を閉じた状態を示す斜視図。図１（Ｂ）は蓋部３０を開いた状態を示す斜視図。
【図２】照明付収容箱１０の正面視左右中央の縦断面の端面図であり、図１に示すＸ−Ｘ矢示端面図。図２（Ａ）は蓋部３０を閉じた状態を示す端面図。図２（Ｂ）は蓋部３０を開いた状態を示す端面図。
【図３】図３（Ａ）は照明付収容箱１０の導光体５０の正面図。図３（Ｂ）は導光体５０の右側面図。
【図４】照明付収容箱１０の縦断面の端面図であり、図２（Ａ）の要部拡大図。
【図５】照明付収容箱１０の縦断面の端面図であり、図２（Ｂ）の要部拡大図。
【図６】照明付収容箱１０の縦断面の端面図。
【図７】本発明を具体化した別の実施形態の照明付収容箱１００の斜視図。
【発明を実施するための形態】
【００２６】
以下、本発明を具体化した各実施形態について図面を参照しながら説明する。尚、各実施形態において、同一の構成部材および構成要素については符号を等しくすると共に、同一内容の箇所については重複説明を省略する。
また、各図面では、説明を分かり易くするために、各実施形態の構成部材の寸法形状および配置箇所を誇張して模式的に図示してあり、各構成部材の寸法形状および配置箇所が実物とは異なっている。
【００２７】
図１〜図６に示すように、本実施形態の照明付収容箱（照明付収納箱）１０は、収容部２０（開口部２１、カップホルダ２２，２３、壁部２４、遮光壁２５）、蓋部３０（カバー部３１、支持固定部３２、発光部３３、回転軸３４）、光源部４０（発光素子４１、外部接続端子４２、絶縁基板４３、筐体４４）、導光体５０（第１入射面５１、第２入射面５２、第１反射面５３、第２反射面５４、第１出射面５５、第２出射面５６、第３出射面５７（傾斜面５８，５９）、回転軸３４の軸心Ｐ、光源部４０の光軸Ｌ、収容部２０と蓋部３０との間隙Ｇａ〜Ｇｄなどを備えており、自動車のセンターコンソールに設置される自動車用カップホルダボックスとして使用される。
【００２８】
尚、以下の説明において、「正面側」および「前方側」とは、図１および図７に示す手前側、図２，図３（Ｂ），図４〜図６に示す左側である。
また、「背面側」および「後方側」とは、「正面側」および「前方側」の反対側であり、図１および図７に示す奥側、図２，図３（Ｂ），図４〜図６に示す右側である。
また、「右」とは照明付収容箱１０を正面側から見た正面視にて右方を指し、「左」とは照明付収容箱１０の正面視にて左方を指す。
【００２９】
図１および図２に示すように、収容部（収納部）２０は上面側の開口部２１が開放された箱状を成し、収容部２０の前方側における正面視左右両側には有底略円筒状のカップホルダ２２，２３が配置形成されている。
カップホルダ２２，２３には、物品である飲料容器のカップ（図示略）が収容される。
収容部２０は、光源部４０の光を透過しない不透明な合成樹脂材料の射出成形により一体形成されている。
【００３０】
図１，図２，図４〜図６に示すように、蓋部３０は、閉じた状態では収容部２０の開口部２１を覆って蓋をする略矩形平板状のカバー部３１と、カバー部３１に接続固定された支持固定部３２と、カバー部３１の上面側に配置されてカバー部３１の前方側における正面視左右方向に延出された長尺略直方体状の発光部３３と、支持固定部３２の基端側に接続固定された回転軸３４とを備え、収容部２０に対して回動可能に取り付けられている。
【００３１】
図１，図２，図４〜図６に示すように、カバー部３１および支持固定部３２は、光源部４０の光を透過しない不透明な合成樹脂材料の射出成形により一体形成されている。
発光部３３は、光源部４０の光を透過する透明な合成樹脂材料の射出成形により一体形成されており、発光部３３の表面には光を透過する薄いメッキ層（図示略）が形成され、発光部３３はカバー部３１に貫通形成された取付孔に嵌合され、発光部３３の表面（メッキ層）がカバー部３１から露出している。
回転軸３４は、合成樹脂材料の射出成形により一体形成されており、収容部２０の左右側壁部に貫通形成された取付孔に嵌合され、収容部２０に対して軸心Ｐを中心に回動自在に軸支されている。
【００３２】
図１，図２，図４〜図６に示すように、光源部４０は、発光素子４１および外部接続端子４２が搭載（実装）された絶縁基板４３と、これら各部材４１〜４３を収容する筐体４４とを備えている。
発光素子４１は半導体発光素子（例えば、ＬＥＤ、有機ＥＬなど）であり、略砲弾型の発光素子４１の先端側に設けられた発光部分は筐体４４の正面側から露出している。
外部接続端子４２の先端側は、筐体４４の底面部分に位置するコネクタ部から外部へ向けて突出している。
【００３３】
図１，図２，図４〜図６に示すように、発光素子４１と外部接続端子４２とは、絶縁基板４３に搭載された点灯回路（図示略）を介して電気的に接続されている。
筐体４４は、合成樹脂材料の射出成形によって形成されており、収容部２０の中央部に取付固定されている。
尚、筐体４４を液密状態に構成すれば、筐体４４内の各部材４１〜４３を防水する機能を備えることができる。
光源部４０（発光素子４１）の光軸Ｌは、照明付収容箱１０の正面視左右中央にて背面側（後方側）から正面側（前方側）に向かうように配置されている。
【００３４】
光源部４０には外部電源から電源供給がなされ、外部電源の電源ケーブル（図示略）が外部接続端子４２に電気的に接続される。
絶縁基板４３に搭載された点灯回路は、外部接続端子４２を介して供給された外部電源から所定の電流・電圧の内部電源を生成し、発光素子４１に出力して点灯させる。
【００３５】
図１〜図６に示すように、導光体５０は、正面視左右方向の幅が第１出射面５５に向けて広がる略扇状で且つ面方向に湾曲した略扁平状を成し、蓋部３０の支持固定部３２の内側（蓋部３０の内部）に取付固定されている。
導光体５０は、透光性を有する合成樹脂材料（例えば、アクリル、ポリカーボネートなど）の射出成形によって一体形成されている。
【００３６】
図２〜図６に示すように、導光体５０の下端面には平坦な第１入射面５１（第２出射面５６）が配置形成され、導光体５０の下端部における背面側には平坦な第２入射面５２が配置形成され、導光体５０の下端部における正面側には第２入射面５２と対向する第１反射面５３および第２反射面５４が配置形成され、導光体５０の上端部には第１出射面５５が配置形成され、導光体５０の下端部において第１入射面５１と接続される左右両側には第３出射面５７（傾斜面５８，５９）が配置形成され、導光体５０の下端部の正面視左右両側には下端に向けて正面視左右両側方向の幅が狭くなるように斜めにカットされた傾斜面５８，５９が配置形成されている。
【００３７】
第１反射面５３は、導光体５０の正面側に穿設された略円錐状の凹部の内面から成る。
第２反射面５４は、第２出射面５６（第１入射面５１）から離れるほど導光体５０の厚みが薄くなることにより、導光体５０の正面側の表面に形成された略平面状の傾斜面から成る。
尚、第１入射面５１と第２出射面５６とは同一面であり、第３出射面５７は傾斜面５８，５９と同一面である。
【００３８】
第１反射面５３および第２反射面５４は、微細な凹凸が無い平坦状に加工されており、その界面において、光が散乱しないよう構成されている。反射界面において、光は、その屈折率差に伴う界面反射や全反射により、所定の方向に反射される。
略円錐状の凹部の内面から成る第１反射面５３は、その先端部（凹部底）が鋭角である必要はなく、平面やＲ状に面取りされていてもよい。
ここで、第１反射面５３の凹部底に照射される光は拡散・散乱され易いため光学制御が困難であり、第１反射面５３の凹部内面の面積が狭くなるような凹部底の形状は望ましくない。
【００３９】
そして、図２（Ｂ），図５，図６に示すよう、蓋部３０を開いた状態において、光源部４０の光軸Ｌが、第１反射面５３の凹部底と第２出射面５６（第１入射面５１）との間で、第１反射面５３と交差するように配置することが望ましい。
また、第２反射面５４は、第１反射面５３よりも、第２出射面５６から離れた箇所に配置することが望ましい。
尚、導光体５０の各面５１〜５７の詳細な寸法形状については、後述する作用・効果が確実に得られるように、実験やシミュレーション等に基づいて最適な寸法形状に設定すればよい。
【００４０】
図２に示すように、導光体５０の第１出射面５５は、蓋部３０の発光部３３の裏面側に面接触し、導光体５０の上端部は蓋部３０の支持固定部３２と発光部３３との間で挟持固定されている。
図１，図４〜図６に示すように、蓋部３０の回転軸３４の軸心Ｐは、光源部４０の光軸Ｌの近傍にて光軸Ｌと直交すると共に、導光体５０の第１入射面５１および第２入射面５２の近傍に配置されている。
【００４１】
図１〜図６に示すように、導光体５０の形状（面方向に湾曲した略扁平扇状）は、収容部２０のカップホルダ２２，２３の湾曲した内周壁に合わせて形成されている。
そして、蓋部３０の支持固定部３２の形状は、導光体５０の形状に合わせて形成されている。
支持固定部３２の基端部と収容部２０との間には、収容部２０の横断面方向に連続する間隙Ｇａ〜Ｇｃが形成されている。つまり、間隙Ｇａ〜Ｇｃは、収容部２０の内部にて収容部２０と蓋部３０との間に形成されている。
【００４２】
図１（Ｂ）に示すように、間隙Ｇａは、収容部２０の正面視左右中央に配置され、収容部２０の正面側に向けて突出している。
間隙Ｇｂ，Ｇｃは、間隙Ｇａの両側に対称配置され、カップホルダ２２，２３の内周壁の湾曲した形状に合わせて形成されている。
図４〜図６に示すように、収容部２０の壁部２４は、カップホルダ２２，２３の内周壁に連続し、間隙Ｇａ〜Ｇｃ内において、光源部４０の筐体４４に接続固定され、間隙Ｇａ〜Ｇｃの内底面を形成している。
【００４３】
図５に示すように、収容部２０における間隙Ｇａの開口部には、蓋部３０の支持固定部３２に向かって盛り上がることで突出する遮光壁２５が形成されており、壁部２４は遮光壁２５に連続している。
図３に示す導光体５０の第３出射面５７（傾斜面５８，５９）は、図１（Ｂ）に示す間隙Ｇｂ，Ｇｃの内側にて間隙Ｇｂ，Ｇｃと対応して配置されている。
つまり、間隙Ｇｂ，Ｇｃは導光体５０の両側部分に対応する箇所に配置形成され、間隙Ｇａは導光体５０の中央部分に対応する箇所に配置形成されている。
【００４４】
図５は、間隙Ｇａを縦断した状態における照明付収容箱１０の縦断面の端面図である。
図６は、間隙Ｇｂ（または間隙Ｇｃ）を縦断した状態における照明付収容箱１０の縦断面の端面図である。尚、図６において、間隙Ｇｂ，Ｇｃを縦断した状態では導光体５０の第１反射面５３が図示されないため、説明を分かり易くするため、導光体５０については図５に示すのと同じ状態（間隙Ｇａを縦断した状態）で図示してある。
【００４５】
図５に示すように、蓋部３０を開いた状態において、間隙Ｇａを形成する収容部２０の壁部２４は、導光体５０の第２出射面５６に対して略平行に配置形成されており、間隙Ｇａの開口部には収容部２０の遮光壁２５が配置形成されている。
図６に示すように、蓋部３０を開いた状態において、間隙Ｇｂ，Ｇｃを形成する収容部２０の壁部２４は、間隙Ｇｂ，Ｇｃの開口側に向けて広がるように、導光体５０の第２出射面５６に対して傾斜する傾斜面状に配置形成されている。
【００４６】
そのため、間隙Ｇａの幅（上下方向の高さ）は、間隙Ｇａの開口側に向けて広がっておらず、間隙Ｇａの開口部は、収容部２０の遮光壁２５により窄められている。
それに対して、間隙Ｇｂ，Ｇｃの幅は、間隙Ｇｂ，Ｇｃの開口側に向けて広がっている。
そして、間隙Ｇｂ，Ｇｃの開口部の幅は、間隙Ｇａの開口部の幅よりも大きくなっている。
【００４７】
［蓋部３０を閉じた状態における照明態様］
図１（Ａ），図２（Ａ），図４に示すように、蓋部３０を閉じた状態では、カバー部３１が収容部２０の開口部２１を覆って蓋をし、支持固定部３２が収容部２０内に収容され、発光部３３が照明付収容箱１０の上面前方側に露出されると共に、カバー部３１の前端側と収容部２０との間には間隙Ｇｄが形成されている。
【００４８】
そして、蓋部３０を閉じた状態では、導光体５０の第１入射面５１が光源部４０の発光素子４１に対して間隙を設けて対向し、第１入射面５１と光源部４０（発光素子４１）の光軸Ｌとが直交する。
そのため、発光素子４１の放射光は、第１入射面５１から入射して導光体５０内を導光されて第１出射面５５から出射された後に、発光部３３を透過して放射されることから、照明付収容箱１０の上面前方側が照明される。
【００４９】
ここで、蓋部３０を閉じた状態では、導光体５０の第１反射面５３が光源部４０の光軸Ｌと交差しないように第１反射面５３が配置形成されているため、第１入射面５１から入射した光が第１反射面５３で反射されることはなく、第１入射面５１から入射した光の略全てを、第１出射面５５から出射させることができる。
【００５０】
また、蓋部３０を閉じた状態では、発光素子４１の放射光が、矢印βに示すように、間隙Ｇａ〜Ｇｃを通って間隙Ｇｄから僅かに漏れ出し、間隙Ｇｄを照明する。
その結果、蓋部３０を閉じているときには、蓋部３０の取っ手部分となる間隙Ｇｄを目視確認しながら手を伸ばして開けやすいように、照明付収容箱１０の上面前方側に配置されている間隙Ｇｄの近傍を照明できる。
【００５１】
［蓋部３０を開いた状態における照明態様］
図１（Ｂ），図２（Ｂ），図５，図６に示すように、蓋部３０を開いた状態では、回転軸３４が矢印α方向に回動し、カバー部３１が矢印α方向に回動直立してカバー部３１の後方側が収容部２０内に収容され、それに伴って収容部２０内から支持固定部３２が露出されると共に、収容部２０内のカップホルダ２２，２３が露出されている。
【００５２】
そして、蓋部３０を開いた状態では、導光体５０の第２入射面５２と第１反射面５３および第２反射面５４とが光源部４０の発光素子４１に対して間隙を設けて対向し、第２入射面５２と光源部４０（発光素子４１）の光軸Ｌとが直交し、第１反射面５３と光軸Ｌとが交差する。
【００５３】
そのため、図５（Ａ）および図６（Ａ）に示すように、発光素子４１の光軸Ｌ上の放射光は、矢印γに示すように、第２入射面５２から入射して第１反射面５３で反射され、第２出射面５６から出射された後に、収容部２０の壁部２４で反射され、間隙Ｇａ〜Ｇｃから漏れ出て放射されることにより、収容部２０内が間接照明される。
【００５４】
また、図５（Ｂ）および図６（Ｂ）に示すように、発光素子４１の光軸Ｌからそれた放射光は、矢印δに示すように、第２入射面５２から入射して第２反射面５４で反射され、第２出射面５６から出射された後に、収容部２０の壁部２４で反射され、間隙Ｇａ〜Ｇｃから漏れ出て放射されることにより、収容部２０内が間接照明される。
【００５５】
さらに、図１〜図３，図５，図６に示すように、発光素子４１の放射光は、第２入射面５２から入射して第１反射面５３または第２反射面５４で反射され、第３出射面５７（傾斜面５８，５９）から出射された後に、間隙Ｇｂ，Ｇｃから漏れ出て放射されることにより、収容部２０内が間接照明される。
【００５６】
加えて、図１〜図３，図５，図６に示すように、発光素子４１の放射光は、第２入射面５２から入射し、まず、第１反射面５３で反射され、次に、第２反射面５４で反射されてから、第２出射面５６または第３出射面５７から出射された後に、間隙Ｇａ〜Ｇｃから漏れ出て放射されることにより、収容部２０内が間接照明される。
【００５７】
ここで、第１反射面５３は光源部４０の光軸Ｌと交差するため、発光素子４１の放射光の大部分を第１反射面５３によって反射可能である。
また、第１反射面５３は略円錐状の凹部の内面から成るため、発光素子４１の放射光の大部分を放射状に（広角に）反射可能である。
そのため、第１反射面５３における正面視下側で反射された光を、第２出射面５６から出射させることができる。
また、第１反射面５３における正面視左右両側で反射された光を、第３出射面５７から出射させることができる。
さらに、第１反射面５３における正面視上側で反射された光を、第２出射面５６または第３出射面５７から出射させることができる。
その結果、発光素子４１の放射光の略全てを、第２出射面５６または第３出射面５７から出射させることができる。
【００５８】
そして、導光体５０の第３出射面５７は、間隙Ｇｂ，Ｇｃと対応して配置されており、間隙Ｇｂ，Ｇｃはカップホルダ２２，２３の内周壁の湾曲した形状に合わせて形成されているため、収容部２０内における正面視左右両側の広い範囲を広角に間接照明できる。
【００５９】
［照明付収容箱１０の作用・効果］
本実施形態の照明付収容箱１０によれば、以下の作用・効果を得ることができる。
【００６０】
［１］蓋部３０を閉じた状態では、光源部４０の放射光が導光体５０内を導光された後に発光部３３から放射されることにより、蓋部３０の外部が照明される。
蓋部３０を開いた状態では、光源部４０の放射光が導光体５０内で反射された後に間隙Ｇａ〜Ｇｃから漏れ出て放射されることにより、収容部２０の内部が間接照明される。
【００６１】
そのため、照明付収容箱１０では、特許文献１および特許文献２のように導光体５０を面発光させる形態に比べて、導光体５０を小型化することが可能であるため、導光体５０が取付固定された蓋部３０が軽量化される上に、収容部２０に対する蓋部３０の取付構造を簡易化可能であることから、製造コストを低減できる。
【００６２】
また、照明付収容箱１０では、特許文献１のように蓋自体を面発光させないため、フロントガラスに映り込みが生じるのを防止可能であり、特許文献２のように光源が箱内部を直接照明せず、収容部２０の内部が間接照明されるため、グレア感を低減可能であることから、運転者を幻惑するおそれが無く、照明位置が制約されない。
【００６３】
［２］蓋部３０を閉じた状態では、第１入射面５１が光源部４０と対向し、第１入射面５１から入射された光が導光体５０内を導光されて第１出射面５５から出射された後に、蓋部３０の発光部３３から放射され、
蓋部３０を開いた状態では、第２入射面５２および第１反射面５３が光源部４０と対向し、第２入射面５２から入射された光が第１反射面５３で反射されて第２出射面５６から出射された後に、間隙Ｇａ〜Ｇｃから漏れ出て放射される。
【００６４】
そのため、前記［１］の作用・効果を、導光体５０が第１入射面５１と第２入射面５２と第１出射面５５と第２出射面５６と第１反射面５３とを備えるだけの簡易な構成により、確実に得ることが可能になるため、更なる低コスト化を図ることができる。
【００６５】
［３］照明付収容箱１０によれば、第１反射面５３が導光体５０に穿設された略円錐状の凹部の内面から成るため、蓋部３０を開いた状態において、光源部４０と対向する第１反射面５３は、光源部４０の光軸を囲繞する全周方向（３６０゜方向）にて放射状に光を反射可能であり、第１反射面５３による反射光が第２出射面５６から広角に出射され易くなることから、間隙Ｇａ〜Ｇｃから漏れ出て放射される光量を増大させて、収容部２０の内部を明るく照明できる。
【００６６】
また、照明付収容箱１０によれば、第２反射面５４が第１反射面５３を囲繞する導光体５０の表面から成るため、蓋部３０を開いた状態において、光源部４０と対向する第２反射面５４は、第２入射面５２の方向に光を反射可能であり、第２反射面５４による反射光は第２出射面５６から出射されることから、間隙Ｇａ〜Ｇｃから漏れ出て放射される光量を増大させて、収容部２０の内部を明るく照明できる。
【００６７】
［４］照明付収容箱１０によれば、第２出射面５６から出射された光に加えて、第３出射面５７から出射された光が間隙Ｇａ〜Ｇｃから漏れ出るため、間隙Ｇａ〜Ｇｃから漏れ出て放射される光量を増大させて、収容部２０の内部を明るく照明できる。
【００６８】
［５］照明付収容箱１０によれば、第３出射面５７が導光体５０の下端部両側（導光体５０における第２出射面５６の近傍の両側部分）の傾斜面５８，５９と同一面であるため、蓋部３０を開いた状態では、導光体５０の下端部両側方向に対応した収容部２０の内部を広い範囲で間接照明できる。
【００６９】
［６］間隙Ｇｂ，Ｇｃは開口側に向かって広がっており、間隙Ｇｂ，Ｇｃの開口側の幅は間隙Ｇａよりも大きいため、間隙Ｇａから漏れ出る光量に比べて、間隙Ｇｂ，Ｇｃから漏れ出る光量の方が多くなる。
加えて、間隙Ｇｂ，Ｇｃを形成する収容部２０の壁部２４は、間隙Ｇｂ，Ｇｃの開口側に向けて広がる傾斜面状であるため、収容部２０の壁部２４で反射された反射光は、間隙Ｇｂ，Ｇｃの開口側に向けて放射され易い。
その結果、間隙Ｇａからカップホルダ２２，２３の間に放射される光量に比べて、間隙Ｇｂ，Ｇｃからカップホルダ２２，２３内に放射される光量の方が遥かに多くなり、収容部２０内でも特にカップホルダ２２，２３内が明るく照明される。
【００７０】
［７］蓋部３０は、収容部２０に対して軸心Ｐを中心に回動自在に軸支された回転軸３４を備えている。
回転軸３４の軸心Ｐは、光源部４０の光軸Ｌの近傍にて光軸Ｌと直交すると共に、導光体５０の第１入射面５１および第２入射面５２の近傍に配置されている。
【００７１】
そのため、第１入射面５１および第２入射面５２と光源部４０との距離を短くすることが可能になり、光源部４０の放射光をほとんど減衰させずに、第１入射面５１および第２入射面５２に入射させることができる。
その結果、蓋部３０の発光部３３から放射される光量を増大させて蓋部３０の外部を明るく照明できると共に、間隙Ｇａ〜Ｇｃから漏れ出て放射される光量を増大させて収容部２０の内部を明るく照明できる。
【００７２】
＜別の実施形態＞
本発明は前記実施形態に限定されるものではなく、以下のように具体化してもよく、その場合でも、前記実施形態と同等もしくはそれ以上の作用・効果を得ることができる。
【００７３】
［Ａ］図７に示す照明付収容箱１００のように、蓋部３０の支持固定部３２に光通過孔１０１，１０２を貫通形成しておき、蓋部３０を開いた状態では、発光素子４１の放射光を光通過孔１０１，１０２から収容部２０内に放射させて照明してもよい。
光通過孔１０１，１０２はそれぞれ、間隙Ｇｂ，Ｇｃの上方に配置されている。
この場合には、光通過孔１０１，１０２からの放射光と、収容部２０と蓋部３０との間隙Ｇａ〜Ｇｃから漏れ出る光との相乗効果により、収容部２０内を更に明るく照明できる。
また、間隙Ｇａ〜Ｇｃを省いたとしても、光通過孔１０１，１０２からの放射光だけで収容部２０内を十分に照明できる。
【００７４】
［Ｂ］前記各実施形態の照明付収容箱１０，１００では収容部２０に２個のカップホルダ２２，２３を設けたが、１個または３個以上のカップホルダを設けてもよい。
【００７５】
［Ｃ］前記各実施形態の照明付収容箱１０，１００は自動車用カップホルダボックスに適用したものであるが、本発明は自動車用センターコンソールボックスに適用してもよく、自動車内に限らずどのような場所で使用される照明付収容箱に適用してもよい。
【００７６】
本発明は、前記各局面および前記各実施形態の説明に何ら限定されるものではない。特許請求の範囲の記載を逸脱せず、当業者が容易に想到できる範囲で種々の変形態様も本発明に含まれる。本明細書の中で明示した論文、公開特許公報、特許公報などの内容は、その全ての内容を援用によって引用することとする。
【符号の説明】
【００７７】
１０，１００…照明付収容箱
２０…収容部
２１…開口部
２２，２３…カップホルダ
２４…壁部
２５…遮光壁
３０…蓋部
３１…カバー部
３２…支持固定部
３３…発光部
３４…回転軸
４０…光源部
４１…発光素子
５０…導光体
５１…第１入射面
５２…第２入射面
５３…第１反射面
５４…第２反射面
５５…第１出射面
５６…第２出射面
５７…第３出射面
５８，５９…傾斜面
Ｐ…回転軸３４の軸心
Ｌ…光源部４０の光軸
Ｇａ〜Ｇｃ…収容部２０と蓋部３０との間隙
【図１】
2014019412.tif 000003
【図２】
2014019412.tif 000004
【図３】
2014019412.tif 000005
【図４】
2014019412.tif 000006
【図５】
2014019412.tif 000007
【図６】
2014019412.tif 000008
【図７】
2014019412.tif 000009